(57)【要約】【課題】光学ベースの挿入穴とレーザユニットの外径にはクリアランスによるガタが存在するため、レーザユニット固定時の接着剤収縮力や高低温環境下での部品の熱膨張収縮により、レーザユニットがそのガタ分だけずれ、光ピックアップ特性が悪化するという課題があった。【解決手段】レーザユニット２の背面に斜面部４を有するスペーサ３を固着し、その斜面部４をバネ５で押さえることにより、レーザユニット２を光学ベース１に押さえつけると共に挿入穴１ａ下端に押しつけ、クリアランス分のガタを殺すことができる。これにより、レーザユニット２の接着固定時や高低温環境下でのレーザユニット２のズレを防ぐことができ、品質的に安定した光ピックアップを提供することができる。【選択図】図３
2010102769.tif 000002
【特許請求の範囲】
【請求項１】
挿入穴を有する光学ベースと、
前記挿入穴と嵌合する外径を有するレーザユニットと、
前記レーザユニットの背面に固着し斜面部を有するスペーサと、
先端部が前記斜面部を押圧し、前記レーザユニットを前記光学ベースに押さえつけるとともに、前記挿入穴下部に押さえつける押さえバネと、
を有する光ピックアップ。
【請求項２】
前記先端部は、球面形状を有する
請求項１に記載の光ピックアップ。
【発明の詳細な説明】
【技術分野】
【０００１】
本発明は光ピックアップに関し、特に半導体レーザを用いたＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、ＢＤ（Ｂｌｕ−ｒａｙ  Ｄｉｓｃ）等の光ディスク用の光ピックアップに関する。
【背景技術】
【０００２】
レーザユニットは光学ベースの挿入穴に嵌合し、回転調整後、接着剤等で固定されるが、その間に挿入穴から外れないように押さえバネでレーザユニットの背面から押圧が加えられる。また、レーザユニットを光学ベースに固定するには通常、紫外線硬化型接着を用いるが、硬化時の接着剤収縮力によるレーザユニットの回転ずれを抑えるにも押さえバネは効果的である。
【０００３】
従来の押さえバネを用いたレーザユニットを固定する構成を図４に示す。
【０００４】
しかし、光学ベースの挿入穴とレーザユニットの外径にはクリアランスによるガタが存在するため、レーザユニット固定時の接着剤収縮力や高低温環境下での部品の熱膨張収縮によりレーザユニットがそのガタ分だけずれ、光ピックアップ特性が悪化するという問題があった。
【０００５】
そこで、クリアランスによるガタを極力小さくするため、光学ベースの挿入穴とレーザユニットの外径精度を上げたり、他の光学部品取付精度を上げてレーザユニットの移動許容量を大きくするような対策が提案されている（例えば特許文献１参照）。
【特許文献１】特開２００７−２６５４４号公報（段落番号０００９〜００１３、図７）
【発明の開示】
【発明が解決しようとする課題】
【０００６】
しかしながら、従来の方法では光学ベースの挿入穴とレーザユニット外径のクリアランスによるガタを完全に除去することができないため、そのガタ内でレーザユニットがずれてしまい、信頼性の高い光ピックアップにすることができないという問題があった。
【０００７】
それゆえに、本発明の主たる目的は、光学ベースの挿入穴とレーザユニットの外径とのクリアランスによるガタがあっても、高低温環境下でレーザユニットがずれない信頼性の高い光ピックアップを提供することである。
【課題を解決するための手段】
【０００８】
このような課題に対して、本発明の光ピックアップは、挿入穴を有する光学ベースと、前記挿入穴と嵌合する外径を有するレーザユニットと、前記レーザユニットの背面に固着し斜面部を有するスペーサと、先端部が前記斜面部を押圧し、前記レーザユニットを前記光学ベースに押さえつけるとともに、前記挿入穴下部に押さえつける押さえバネと、を有する。
【発明の効果】
【０００９】
以上のような構成により、レーザユニットと光学ベースとの嵌合ガタによるずれを抑えることができ、信頼性の高い光ピックアップを提供することができる。
【発明を実施するための最良の形態】
【００１０】
図１は光ピックアップの外観斜視図であり、図２は図１のＡ部の分解斜視図である。
【００１１】
図１及び図２において、１は光学ベースであり、光学ピックアップを構成する複数の光学部品を収容支持する。２はレーザユニットであり、レーザ光線を発光するとともに、光ディスクからの反射光を受光する受光部を備える。３はレーザユニットの背面に接着固定されたスペーサである。４はスペーサに設けられた斜面部である。５はレーザユニット２を光学ベース１に押さえつける押さえバネである。６はレーザ光線を光ディスクに収束する対物レンズである。７は外部の電気回路と接続するためのフレキシブルプリント基板である。
【００１２】
光学ベース１の挿入穴１ａには、レーザユニット２の外径２ａが嵌合される。レーザユニット２の背面に接着固定されたスペーサ３には、斜面部４が設けられており、斜面部４は、押さえバネ５の先端部により押さえられる。レーザユニット２で発光したレーザ光線は、光学ベース１の内部に設けられた光学部品を通り、対物レンズ６により光ディスクに記録された信号面に焦点が絞られて変調され、その反射光がレーザユニット２の受光部まで戻ることにより電気信号に変換され、ＦＰＣ７により外部の電気回路に伝達される。
【００１３】
図３は本発明の原理を説明するための分解断面図である。光学ベース１の挿入穴１ａにレーザユニット２の外径２ａが嵌合される。レーザユニット２の背面に固着されたスペーサ３は斜面部４が設けられており、押さえバネ５の先端５ａがその斜面部を押さえている。この斜面により、押さえバネ５がレーザユニット２を押さえつける力は、レーザユニット２を光学ベース１に押さえつけられる押力１１と、光学ベースの挿入穴１ａの下側に押さえつけられる押力１２に分解される。この斜面の傾き角は２方向の押力１１と押力１２の設定の仕方により変わり、通常１０ｄｅｇ〜４５ｄｅｇになる。角度が大きくなると挿入穴１ａの下側に押さえつける押力１２が大きくなるが、その分光学ベースに押さえつける押力１１は小さくなる。
【００１４】
このように、スペーサ３に設けられた斜面部４は、押さえバネ５の力をレーザユニット２を光学ベース１に押さえつける成分と、光学ベース１の挿入穴１ａ下部に押さえつける成分に分けるためのもので、２方向の力によりレーザユニットに作用する接着剤の収縮力や熱膨張収縮力等の不安定な外力を打ち消すことができるため、レーザユニット２のずれを防ぐことができる。
【００１５】
なお、スペーサ３は金属製、プラスティック製、セラミックス製等のいずれの材料でもよく、斜面部４は板金のプレス、樹脂成形、切削加工等いずれの加工法でも良い。
【００１６】
また、押さえバネ５の先端５ａは球面形状、円形状、三角形状等のいずれの形でも良い。
【産業上の利用可能性】
【００１７】
以上のように、本発明にかかる光ピックアップは、レーザユニットと光学ベースとの嵌合ガタによるずれを抑えることができ、信頼性の高い光ピックアップを提供することができるため、ＢＤ等の光ディスクに記録または再生する光ピックアップとして有用である。
【図面の簡単な説明】
【００１８】
【図１】本発明の一実施の形態における光ピックアップの構成を示す外観斜視図
【図２】本発明の一実施の形態におけるレーザユニットの固定方法を示す分解斜視図
【図３】本発明の一実施の形態における固定方法の原理を説明する分解断面図
【図４】従来のレーザユニットの固定方法を示す分解斜視図
【符号の説明】
【００１９】
１    光学ベース
１ａ    挿入穴
２    レーザユニット
２ａ    レーザユニット外径
３    スペーサ
４    斜面部
５    押さえバネ
６    対物レンズ
７    ＦＰＣ
【図１】
2010102769.tif 000003
【図２】
2010102769.tif 000004
【図３】
2010102769.tif 000005
【図４】
2010102769.tif 000006